(57)【要約】      （修正有）【課題】再使用可能な保護用オーバーシューズであって、非常に簡単にタウンシューズに合うように直接的に調節可能であり、訪問者が危険区域を臨時的に移動することを可能にするオーバーシューズを提供する。【解決手段】オーバーシューズ１は、靴をはめ込むことができるように後部が開口した中空の前方部分３と、靴のかかとの背後を通る後部バンド７とを有している。後部バンド７は、前方部分３と構造的に分離されており、接続手段８により前方部分３に接続されている。【選択図】図１
0003171792.tif 000002
【実用新案登録請求の範囲】
【請求項１】
かかと（５０）を有する靴をはめ込むことができるように開口した後部を有する中空の前方部分（３）と、
前記靴の前記かかと（５０）の背後を通る後部バンド（７）であって、前記前方部分（３）とは構造的に分離されており、前記前方部分（３）に接続手段（８）により接続されている後部バンドとを備えたオーバーシューズ（１）であって、
前記後部バンド（７）は、一体成形されており、
前記前方部分（３）および前記後部バンド（７）は、エラストマーまたは熱可塑性材料で形成されていることを特徴とするオーバーシューズ（１）。
【請求項２】
前記接続手段（８）が、前記前方部分（３）と前記後部バンド（７）との相対的な運動を可能にする可動手段（９ａ、９ｂ；１１ａ、１１ｂ；９０ａ、１１０ａ）を有することを特徴とする、請求項１に記載のオーバーシューズ（１）。
【請求項３】
前記中空の前方部分（３）が、前記開口した後部において薄くなっている靴底（３１）を有することを特徴とする、請求項１または２に記載のオーバーシューズ（１）。
【請求項４】
前記中空の前方部分（３）が、下面において前記開口した後部の方向に延長している靴底（３１）を有し、前記靴底（３１）は、少なくとも前記前方部分（３）の、足の甲の上を延長する領域（１３）の頂部（１３ａ）と少なくとも実質的に並ぶ位置以上に前記開口した後部の方向に延長されていることを特徴とする、請求項１または２に記載のオーバーシューズ（１）。
【請求項５】
前記中空の前方部分（３）が、鋸歯状で、長手方向にずらして配列されたスタッドが設けられた靴底（３１）を有することを特徴とする、請求項１または２に記載のオーバーシューズ（１）。
【請求項６】
前記接続手段（８）は、前記中空の前方部分（３）の両側に、２つの構造的に分離された部材（９、１１）を有し、前記部材の一方（９）は、広がった形状を有するヘッド部（９ｂ）を一端に有する突出した円筒状ピン（９ａ）を有し、前記突出した円筒状ピン（９ａ）は広がったヘッド部（１１ｂ）を有した管状バレル（１１ａ）と組み立てられて、こうしてできた組立品が、前記前方部分（３）および前記後部バンド（７）のオリフィス（３０、７０）を貫通するように構成されていることを特徴とする、請求項２に記載のオーバーシューズ（１）。
【請求項７】
その後部において、前記後部バンド（７）は上方に突出した舌部（７１）を有することを特徴とする、請求項１から６のいずれか1項に記載のオーバーシューズ（１）。
【請求項８】
前記前方部分（３）は、プラスチック材料で形成され、シェル（１８）により、その前方が補強されており、前記シェル（１８）は前記プラスチック材料よりも硬く、前記前方部分（３）が形成されたプラスチック材料に埋め込まれていることを特徴とする、請求項１から７のいずれか1項に記載のオーバーシューズ（１）。
【請求項９】
前記シェル（１８）は非金属・非磁性体複合材料で形成されることを特徴とする、請求項８に記載のオーバーシューズ（１）。
【請求項１０】
前記前方部分（３）および前記後部バンド（７）に部分的に設けられた前記接続手段（８）は、可鍛性プラスチック材料で形成され、互いに係合されることを特徴とする、請求項１から９のいずれか1項に記載のオーバーシューズ（１）。
【請求項１１】
前記後部バンド（７）は、両側に、前記後部バンド（７）の伸長方向に沿って延びたスロット（７３）を、横方向に有することを特徴とする、請求項１から１０のいずれか1項に記載のオーバーシューズ（１）。
【請求項１２】
前記後部バンド（７）は、単一部材からなり、幅が前方から後方へ広がっていることを特徴とする、請求項１から１１のいずれか1項に記載のオーバーシューズ（１）。
【請求項１３】
前記前方部分（３）は、甲の上の前面に、横方向に略水平に延びた少なくとも１つの突起（１７）を有することを特徴とする、請求項１から１２のいずれか1項に記載のオーバーシューズ（１）。
【請求項１４】
前記後部バンド（７）は、１０００％を超える伸張性能を有することを特徴とする、請求項１から１３のいずれか1項に記載のオーバーシューズ（１）。
【請求項１５】
かかと（５０）を有する靴と、
請求項１から１４のいずれか１項に記載のオーバーシューズ（１）との組立品であり、前記靴が前記オーバーシューズ（１）の中空の前記前方部分（３）にはめ込まれ、前記後部バンド（７）が前記靴の前記かかと（５０）の背後を通ることを特徴とする組立品。
【考案の詳細な説明】
【考案の詳細な説明】
【０００１】
本考案は、個人用の保護具として、再使用可能な保護用オーバーシューズであって、非常に簡単にタウンシューズに合うように直接的に調節可能であり、訪問者が危険区域を臨時的に移動することを可能にするオーバーシューズに関する。
【０００２】
ＥＰ‐２０６４９６４は、工場または建設現場への訪問時に安全靴を着用することが義務付けられていた場合について、従来、いくつかの問題があると述べている。即ち、‐訪問者に装備させる為に全てのサイズの大量の安全靴を保持することが困難であること、‐訪問者用である安全靴を常にストックしておく必要があること、‐製造コストが高いこと、‐衛生上の理由の為、使用後に安全靴を洗浄・消毒する、または、破棄する必要があることである。
【０００３】
しかしながら、オーバーシューズの製造と、その製造に由来する使用条件に関する１つの問題が残っている。
【０００４】
これは、ＥＰ‐２０６４９６４において、安全靴が、靴のつま先を被覆する皮製および／または布製の靴の甲、滑り止めが施されている靴底、靴の甲の、皮製および／または布製の裏地、靴のつま先の内部を被覆する同様の裏地、および、かかとの為の、皮製および／または布製の後部保護エプロンに接続される、タウンシューズのサイズに合わせて調節可能な弾性部材を備えると述べているからである。
【０００５】
加えて、製造においては、正確な作業方法に従わねばならない。即ち、最初に、全ての部品を切り出す；次に、一部の部品を縫って組み立てる；次に、つま先部分に、皮革および繊維から切り出した裏地を付ける；最後に、靴底を接着結合する。
【０００６】
本考案によれば、上記と異なる解決方法を提案する。すなわち、本考案のオーバーシューズは：‐靴をはめ込むことができるように後部が開口した中空の前方部分と、‐前記靴の前記かかとの背後に通す後部バンドであって、前記前方部分とは構造的に分離されており、前記前方部分に接続手段により接続されている後部バンドとを備えている。
【０００７】
オーバーシューズは、より具体的には：‐前記後部バンドが一体成形されており、‐前記前方部分および前記後部バンドは、エラストマーまたは熱可塑性材料で形成されていることが好ましい。
【０００８】
上記構成によれば、上記の問題を効果的に克服することができ、また、工場訪問の際や、危険区域を臨時的に通過する際に訪問者が靴を脱がなくてもよくなる。足がオーバーシューズに触れることがないので、使用後に洗浄する必要もない。
【０００９】
前方部分および後部バンドが、エラストマーまたは熱可塑性材料から形成される、特に好ましくはエラストマーまたは熱可塑性材料のみから形成されるという好適な構成にすることにより、後者の効果をより満足のいくものとすることができる。
【００１０】
また、前方部分と後部バンドの間の接続手段が、前方部分と後部バンドの相対的な移動を可能にするものである構成が推奨される。関節手段の使用が推奨される。前方部分と後部バンドとを相対的に回動させることができる回転手段が特に好ましい。これにより製造の容易さと使用の容易さを兼ね備えることができる。
【００１１】
歩行を容易にし、さらに、使用中の安全性を向上させるために、前方部分に、好ましくは後方へ向かって薄くなっている靴底を備えることも推奨される。
【００１２】
また、スリップや床面上の製品による化学的な悪影響に対する安全性のため、底面において後部方向に延長している靴底は、前方部分の、足の甲の上を延長する領域の頂部と少なくとも実質的に並ぶ位置以上に後部方向に延長されており、および／または、靴底を鋸歯状にし、長手方向にずらして配列されたスタッドを有する構成が推奨される。
【００１３】
オーバーシューズのその他の構成は後述する。
【００１４】
なお、本明細書で述べる全てまたは一部の構成を有する複数のオーバーシューズの一群を、サイズが異なる前方部分と、前方部分よりも数が少ない後部バンドとを準備することで、実現するも本考案には含まれる。
【００１５】
さらに、本考案は、かかとを有する靴と、オーバーシューズとの組立品であり、前記オーバーシューズは：‐靴がはめ込まれるように後部が開口した中空の前方部分と、‐前記靴の前記かかとの背後に通す後部バンドであって、前記前方部分とは構造的に分離されており、前記前方部分に接続手段により接続されている後部バンドとを備え、前記後部バンドは、一体成形されており、‐前記前方部分および前記後部バンドは、エラストマーまたは熱可塑性材料で形成されていることを特徴とする組立品に関する。
【００１６】
本明細書に関するすべての構成を説明する為、本開示の一部を構成する添付図面を参照して、以下に実施の形態の詳細を説明するが、本考案はこれに限定されるものではなく、また、一変形例も示す。
【００１７】
〔図面の簡単な説明〕
図１は、本考案のオーバーシューズを通常の使用状態で示す側面図である。
【００１８】
図２は、本考案のオーバーシューズを後部バンドを上方に傾斜した状態で示す側面図である。
【００１９】
図３は、本考案のオーバーシューズの前方部分の平面図である。
【００２０】
図４は、かかとにおけるバンドの後部を示す図である。
【００２１】
図５は、靴底を下から見たときの図である。
【００２２】
図６は、前方部分と後部バンドの間で連結することができる、側部固定の詳細を示す図である。
【００２３】
図７は、前方部分の先端に取り付けることが推奨される補強シェルを示す図である。
【００２４】
図８は、別のオーバーシューズを示す図である。
【００２５】
図９は、オリフィスに係合された接続鋲の水平断面の概略図である。
【００２６】
〔考案を実施するための形態〕
以下、本考案の実施の形態について、詳細に説明する。
【００２７】
図において、オーバーシューズ１は、靴（図８の細い線５）がその中へはめ込めるように後部が開口した（ＡＲ）、中空の前方部分３と、この靴のかかと５０の背後に通す後部バンド７を備えている。
【００２８】
中空の前方部分３は靴底３１を有することが好ましい。
【００２９】
後部バンド７は、前方部分３とは構造的に分離されている。すなわち、２つの部材は２つの別個の独立した構成要素を成す。
【００３０】
しかし、これらの構成要素３と７は、接続手段８により接続される。
【００３１】
この場合、可動手段とも呼ばれるこれら接続手段８は、後部バンド７と前方部分３との相対的な運動を可能にする。
【００３２】
本実施の形態においては、関節手段が後部バンド７と前方部分３との相対的な回転運動を可能にしている構成を示す。
【００３３】
好ましくは、製造面における効率や単純化、およびコスト削減のため、これらの接続手段（まとめて参照番号８で参照する）は、中空の前方部分３の両側に、２つの構造的に分離された部材９、１１を備える。部材９は、突出した円筒状ピン９ａを備える。円筒状ピン９ａの一端は広がった形状を有するヘッド部９ｂである。部材１１は、管状バレル１１ａを備える。管状バレル１１ａの一端は広がった形状を有するヘッド部１１ｂである。円筒状ピン９ａは、管状バレル１１ａに押し込まれて係合されているか、または、螺合されている（図６参照）。
【００３４】
接続手段８、すなわち部材９と部材１１とは、前方部分３と後部バンド７との各オリフィス３０、７０を通る。それらは、オーバーシューズの長軸１５と垂直に配置されることが好ましい。
【００３５】
図１において、オーバーシューズ１は通常の使用状態にある。後部バンド７は略水平であり、かかと５０の背後を通されている。図２において、後部バンド７は上方に傾斜している。下方へ自由に傾斜させることは原理上可能であり、オーバーシューズをすばやく着用するのにより実用的であろう。
【００３６】
後部バンド７の操作をより容易にするため、後部バンド７の後部に、上方に突出した舌部７１を備えることが推奨される。図１において、舌部７１は、かかとの背後で、上に行くほど後方へ傾斜する。滑り止めのため、舌部７１は、鋸歯状となっている。
【００３７】
さらに後部バンド７に関して、図１において例示されるように、オリフィス３０、７０の領域の背後で、後部バンド７（図１においては一体型の後部バンド７として例示されている）は前方から後方へ幅が広くなっていることが好ましい。これは、可撓性や弾力性の点や、靴の後部を良好に保持するために望ましい。
【００３８】
また、図１おいて例示するように、後部バンド７は、両側面に、後部バンド７の伸長方向に沿って延びたスロット７３を備えることが望ましい。図において、このスロット７３が、それぞれストラップを構成する上部領域と下部領域を分けていることがわかる。このようにして、強度、可撓性、および弾力性が兼ね備えられる。ストラップは、中間部で連結してもよい。例えば、中間で、一体化支柱部２１（従って、プラスチック材料で形成する）により連結してもよい。例えば図１および３において、これらのストラップはさらに後部で、舌部７１の下にある広がったかかと７３によって連結されていることが好ましい。 
【００３９】
また、上記の理由から、前方部分３と後部バンド７の全体を、エラストマーまたは熱可塑性材料で形成することが推奨される。特に、VTP (vulcanised thermoplastic)、TPU (thermoplastic polyurethane)、またはTPE (thermoplastic elastomer)を用いることが好ましく、これらの中でも特にショア硬さＤが５〜６０を有するものが好ましい。このようにして、水で洗浄可能な、切断、磨耗、および食品や化学物質、特に炭化水素の多くのしぶきに対して良好な耐久性を持つ製品が、良好に得られる。 
【００４０】
その他、後部バンド７は、１０００％または１１５０％を超える弾性伸び率を有すことが推奨される。また、５０％未満の残留変形が推奨される。
【００４１】
上記の様になるよう選択した後部バンドは、一体成形されたものであることが好ましい。
【００４２】
オーバーシューズから弾性部材が引っ張られる時の引っ張り強さは、約９００Ｎである。
【００４３】
安全性と歩きやすさを兼ね備えるために、例えば図１および図５に示すように、前方部分の靴底３１を、靴底後部３１ａにおいてより薄くする（つまり、靴底後部３１ａの全幅にわたって靴底３１が面取りされている）ことが推奨される。
【００４４】
図１および５に示すように、上記と同様の理由で、靴底３１は、後部方向に延長しており、少なくとも、前方部分３の、足の甲の上を延長する領域１３の頂部１３ａと並ぶ位置まで後方へ延びていることが望ましく、及び/または、靴底３１は、参照番号１３０および１３１にて示すように、好ましくは鋸歯状となっており、長手方向にずらして配列された長方形のスタッドを有していることが望ましい。
【００４５】
図２および８に示すように、前方部分３は、甲の上の前面に、横方向に略水平に延びた１つ以上の突起１７を有することが望ましい。このようにすれば、障害物がこの領域を滑り上がって足首まで達する危険を少なくすることができる。
【００４６】
図１〜３、図７、および図８に示すように、プラスチック材料から形成された前方部分３を、その前方のつま先において、上記プラスチック材料より硬くかつ機械力学的により丈夫な中空シェル１８で補強することが望ましい。この構成により、この重要な領域の機械力学的な強度を高めることができる。
【００４７】
中空シェル１８は、前方部分３の成形時に、前方部分３の材料であるプラスチック材料に埋め込むことが推奨される。 
【００４８】
この中空シェル１８は、甲の下端まで延びている。さらに、図示するように、中空シェル１８は靴底３１の前方部分へ延びており、靴底３１の強度を高めている。
【００４９】
中空シェル１８は金属製、特にステンレス鋼製であってよい。しかし、中空シェル１８は、非金属・非磁性複合材料で形成することが推奨される。
このような中空シェルは、２００ジュール相当の衝撃から、および１５００ｄａＮの最大負荷により押しつぶされてしまう危険から、つま先を保護するために設けられる。
図８において、前方部分３と後部バンド７（それぞれ上記で説明したものと同一でもよい）を接続する接続手段８は、前方部分３および後部バンド７のどちらか一方上に、もう一方の部材に形成された複数のオリフィス１１０ａ、１１０ｂ、１１０ｃの１つへ押し込まれて係合された少なくとも１つの突出した留め具（またはピン）９０ａを有する。図９はこの留め具９０ａを示している。このようにしてクリップのような弾性的接続を行う。このように複数のオリフィスにはめ込まれた複数の留め具を使用することで、確実な接続を行うことができる。これらの留め具およびオリフィスを、前方部分３と後部バンド７の両側に、横方向に配置することが推奨される。図示したように、本実施の形態においては、これらの留め具およびオリフィスは、後部バンド７においては、後部バンド７の端部に位置し、前方部分３においては、靴底から横へ延びた突出部３３ｂの上側の側部３３ａに位置する。
【００５０】
前記の実施の形態と同様に、薄い厚さの側部３３ａは、中空シェル１８で補強された領域の上方で、甲において前方へ延びている。この突出した領域は、突出部３３ｂと接続されて、１つの組立体を形成する。この組立体は、前方を向き且つ上方に突き出た形状の一体化した舌部３３０ｂを有する（図３参照）。
【００５１】
留め具が１つだけ、両側に設けられている場合には、後部バンド７と前方部分３とが相対的に回動することができる。図示するように、複数のオリフィス１１０ａ、１１０ｂ、１１０ｃからなる１つまたは複数の列はオーバーシューズ延長軸１５と略平行に配置すれば、高さ調整が可能になる。これによりシューズのサイズに合わせて調整可能にしている。
【００５２】
これらの２つの実施の形態においては、可鍛性プラスチック材料で形成され、前方部分３および後部バンド７に部分的に設けられ、（ピンとバレル、または留め具とオリフィスのように、押し込みや、および/またはねじ込みにより）互いに係合された接続手段８を使用することで、確実で低コストな接続の実現に寄与する。 
【００５３】
接続手段８は、前方部分３および後部バンド７を係合させて形成された後に、取り外しが可能であってもよい。これにより、例えば破損したバンドを取り替えたり、部品を互換させたりすることが可能となる。
【００５４】
ここで提示した概念のさらに他の態様として、上記のようなタイプの複数のオーバーシューズのユニットを、異なるシューズサイズ用の複数の前方部分３と、これら前方部分３よりも少ない後部バンド７を準備することで、実現することも推奨される。
【００５５】
従って、例えば、３５〜４８のサイズをカバーする３サイズの前方部分３のみ設け、かつ、１つのみ、または２つの後部バンド７を設けることが可能である。これにより、より低いコストや、容易な在庫管理、および部品の互換性等の効果を奏することができ、さらには、前方部分３および後部バンド７の組み立て時における、前方部分３や後部バンド７に起因する様々な組み立ての失敗を少なくすることができる。
【図面の簡単な説明】
【００５６】
【図１】本考案のオーバーシューズを通常の使用状態で示す側面図である。
【図２】本考案のオーバーシューズを後部バンドを上方に傾斜した状態で示す側面図である。
【図３】本考案のオーバーシューズの前方部分の平面図である。
【図４】かかとにおけるバンドの後部を示す図である。
【図５】靴底を下から見たときの図である。
【図６】前方部分と後部バンドの間で連結することができる、側部固定の詳細を示す図である。
【図７】前方部分の先端に取り付けることが推奨される補強シェルを示す図である。
【図８】別のオーバーシューズを示す図である。
【図９】オリフィスに係合された接続鋲の水平断面の概略図である。
【図１】
0003171792.tif 000003
【図２】
0003171792.tif 000004
【図３】
0003171792.tif 000005
【図４】
0003171792.tif 000006
【図５】
0003171792.tif 000007
【図６】
0003171792.tif 000008
【図７】
0003171792.tif 000009
【図８】
0003171792.tif 000010
【図９】
0003171792.tif 000011